(57)【特許請求の範囲】
【請求項１】
少なくとも、水と、水不溶性ポリマーによって被覆されている顔料と、
デービス法により算出されたＨＬＢ値が４．２〜６．６であるグリコールエーテル、又はデービス法により算出されたＨＬＢ値が４．２〜８．０でありアルキル基が分岐構造を持つグリコールエーテルのうち少なくとも１種以上と、
炭素数が４〜８の１，２−アルカンジオールと、を含んでおり、
前記ＨＬＢ値が４．２〜６．６であるグリコールエーテルは、エチレングリコールモノヘキシルエーテル、エチレングリコールモノオクチルエーテル、トリプロピレングリコールモノブチルエーテルから選択される少なくとも１種であることを特徴とするインク組成物。
【請求項２】
前記グリコールエーテルの含有量が、インク組成物全量に対して０．１重量％〜６重量％含まれることを特徴とする請求項１に記載のインク組成物。
【請求項３】
前記１，２−アルカンジオールの含有量が、前記グリコールエーテルに対して、重量比で１／２〜５／１であることを特徴とする請求項１又は２に記載のインク組成物。
【請求項４】
前記１，２−アルカンジオールが、インク組成物全量に対して１重量％〜２０重量％含まれることを特徴とする請求項１乃至請求項３のいずれか一項に記載のインク組成物。
【請求項５】
前記グリコールエーテルのアルキル基が２−エチルヘキシル基であることを特徴とする請求項１乃至請求項４のいずれか一項に記載のインク組成物。
【請求項６】
前記インク組成物において、さらにノニオン性界面活性剤を含んでなることを特徴とする請求項１乃至請求項５のいずれか一項に記載のインク組成物。
【請求項７】
前記顔料が、インク組成物全量に対して０．５重量％〜１０重量％含まれることを特徴とする請求項１乃至請求項６のいずれか一項に記載のインク組成物。
【請求項８】
請求項１乃至請求項７のいずれか一項に記載のインク組成物を記録媒体に付着させて記録を行うことを特徴とするインクジェット記録方法。
【請求項９】
請求項８に記載のインクジェット記録方法によって記録が行われることを特徴とする記録物。
【発明の詳細な説明】
【技術分野】
【０００１】
本発明は、インク組成物、インクジェット記録方法及び記録物に関する。
【背景技術】
【０００２】
インクジェット記録方法は、インクの小滴を飛翔させ、紙等の記録媒体に付着させて印刷を行う印刷方法である。近年のインクジェット記録技術の革新的な進歩により、これまで写真やオフセット印刷の分野であった高精細な画像記録（印刷）にもインクジェット記録方法を用いられるようになってきており、一般に用いられる普通紙やインクジェット記録用の専用紙（マット系、光沢系）に対してのみならず、印刷本紙、合成紙、フィルム等の記録媒体にも高品質な記録が求められている。
【０００３】
着色材としては、染料あるいは顔料が用いられ、特にカラーインクは色の彩度の高さ、透明性、水への溶解性が高い等の理由から水溶性染料が使用される場合が多い。しかし、このような染料は一般的に耐光性や耐ガス性の点が不十分であり、また、水溶性であることから、耐水性にも問題があるため、水溶性染料を用いたインクにより記録された記録物は、記録画像の保存性に劣るという欠点を有している。これに対して、水に不溶な着色材は、耐水性の面において有利である。特に水に不溶な着色材の中でも顔料はこうした耐光性、耐ガス性、耐水性に優れた色材であるため、この色材特性を活かした顔料インクの開発が進められている。
【０００４】
一方で、インクジェット記録用の水性顔料インクは、高い発色性や光沢性、滲みの少ないこと等の印字品質や、ヘッドノズルからの吐出が曲がったりしない吐出安定特性、そしてインクの保存安定性などを同時に満足することが求められる。
【０００５】
しかしながら、発色性を高めるためにインク中の顔料濃度を高くすると、粘度の上昇や、目詰まり特性、吐出安定特性、インクの保存安定性が損なわれる。また、滲みの抑制や印字スピードを上げるために、インクの浸透性を高くすると、記録媒体の中までインクが浸透してしまい、記録媒体表面にインクが残存しにくくなり、塗りつぶし画像の均一性や発色性が損なわれるという問題があった。
【０００６】
このような問題に対して、発色性や滲みを向上させる目的で、ポリマー微粒子を含有させること（特許文献１参照）や、無機微粒子を含有させること（特許文献２参照）や、着色剤を含有する水不溶性ビニルポリマー分散体を含有するインク（特許文献３参照）、アセチレングリコール系界面活性剤を用いること（特許文献４、特許文献５参照）や、二価の特定鎖長を有する分枝のアルコール添加すること（特許文献６参照）などが提案されている。
【０００７】
【特許文献１】特開２００１−１２３０９８号公報
【特許文献２】特開平１１−２０９６７１号公報
【特許文献３】特開２００４−７５９８８号公報
【特許文献４】特開平４−２３９０６８号公報
【特許文献５】特開平６−３２２３０７号公報
【特許文献６】特開２００３−９６３４５号公報
【非特許文献１】J.T.Davies and E.K.Rideal,”Interface Phenomena” 2nd ed.Academic Press,New York 1963
【発明の開示】
【発明が解決しようとする課題】
【０００８】
しかしながら、前述の公知のインク組成物では、使用する色材と水溶性有機溶剤との組み合わせによっては、インクの保存安定性、吐出安定性が低下する場合があり、印字品質・インク保存安定性・吐出性を両立するためには、依然として課題があった。
【０００９】
本発明は上記問題点に鑑みてなされたものであって、その目的とするところは、保存安定性、吐出安定性等の信頼性に優れるとともに、かつ、種々の記録媒体、特に普通紙に対して高い発色性と滲みの少ない優れた印字品質を得ることが可能なインクジェット記録方法に用いるのに好適なインク組成物を提供することにある。
【課題を解決するための手段】
【００１０】
発明者らは鋭意検討の結果、少なくとも、水と、色材として水不溶性ポリマーによって被覆されている顔料と、デービス法により算出されたＨＬＢ値が４．２〜８．０であるグリコールエーテルと、１，２−アルカンジオールと、を含んでなることを特徴とするインク組成物が、前記課題を解決し得るとの知見を得た。本発明は、かかる知見に基づくものであり、本発明の構成は以下の通りである。
【００１１】
［適用例１］  少なくとも、水と、水不溶性ポリマーによって被覆されている顔料と、デービス法により算出されたＨＬＢ値が４．２〜８．０であるグリコールエーテルと、１，２−アルカンジオールと、を含んでなることを特徴とするインク組成物。
【００１２】
［適用例２］  前記グリコールエーテルのアルキル基が分岐構造を持つことを特徴とする、［適用例１］に記載のインク組成物。
【００１３】
［適用例３］  前記グリコールエーテルの含有量が、インク組成物全量に対して０．１重量％〜６重量％含まれることを特徴とする［適用例１］又は［適用例２］に記載のインク組成物。
【００１４】
［適用例４］  前記１，２−アルカンジオールの含有量が、前記グリコールエーテルに対して、重量比で１／２〜５／１である、［適用例１］〜［適用例３］のいずれか一項に記載のインク組成物。
【００１５】
［適用例５］  前記１，２−アルカンジオールが、インク組成物全量に対して１重量％〜２０重量％含まれることを特徴とする［適用例１］〜［適用例４］のいずれか一項に記載のインク組成物。
【００１６】
［適用例６］  前記グリコールエーテルのアルキル基が２−エチルヘキシル基であることを特徴とする、［適用例１］〜［適用例５］のいずれか一項に記載のインク組成物。
【００１７】
［適用例７］  前記インク組成物において、さらにノニオン性界面活性剤を含んでなることを特徴とする［適用例１］〜［適用例６］のいずれか一項に記載のインク組成物。
【００１８】
［適用例８］  前記顔料が、インク組成物全量に対して０．５重量％〜１０重量％含まれることを特徴とする［適用例１］〜［適用例７］のいずれか一項に記載のインク組成物。
【００１９】
［適用例９］  ［適用例１］〜［適用例８］のいずれか一項に記載のインク組成物を記録媒体に付着させて印字を行うインクジェット記録方法。
【００２０】
［適用例１０］  ［適用例１］〜［適用例８］のいずれか一項に記載のインク組成物の液滴を吐出し、該液滴を記録媒体に付着させて印字を行うことを特徴とするインクジェット記録方法。
【００２１】
［適用例１１］  ［適用例９］又は［適用例１０］に記載のインクジェット記録方法によって記録が行われる記録物。
【００２２】
本発明によれば、保存安定性、吐出安定性等の信頼性に優れ、かつ種々の記録媒体、とりわけ普通紙に対する高い発色性と滲みの少ない優れた印字品質を得ることを可能にしたインク組成物、かかる特性を有するインク組成物を用いたインクジェット記録方法、及びこの記録方法により得られる美麗な記録物を提供することができる。
【発明を実施するための最良の形態】
【００２３】
以下、本発明のインク組成物について、その好ましい実施形態に基づいて詳細に説明する。
【００２４】
本発明のインク組成物は、少なくとも、水と、水不溶性ポリマーによって被覆されている顔料と、デービス法により算出されたＨＬＢ値が４．２〜８．０であるグリコールエーテルと、１，２−アルカンジオールと、を含んでなることを特徴とする。
【００２５】
［色材］
本発明の色材は、少なくとも水不溶性ポリマーによって被覆されている顔料であり、この色材に用いられる水不溶性ポリマーは、疎水性基をもつモノマーと親水性基を持つモノマーとのブロック共重合体樹脂からなり、少なくとも塩生成基をもつモノマーを含有しているもので、中和後に２５℃の水１００ｇに対する溶解度が１ｇ未満であるポリマーをいう。
【００２６】
疎水性基を持つモノマーは、メチルメタクリレート、エチルメタクリレート、イソプロピルメタクリレート、ｎ−ブチルメタクリレート、イソブチルメタクリレート、ｎ−アミルメタクリレート、イソアミルメタクリレート、ｎ−ヘキシルメタクリレート、２−エチルヘキシルメタクリレート、オクチルメタクリレート、デシルメタクリレート、ドデシルメタクリレート、オクタデシルメタクリレート、シクロヘキシルメタクリレート、フェニルメタクリレート、ベンジルメタクリレート、グリシジルメタクリレート等のメタクリル酸エステル類や酢酸ビニル等のビニルエステル類やアクリロニトリル、メタクリロニトリル等のビニルシアン化合物類、スチレン、α−メチルスチレン、ビニルトルエン、４−ｔ−ブチルスチレン、クロルスチレン、ビニルアニソール、ビニルナフタレン等の芳香族ビニル単量体類などがあり、それぞれ単独あるいは２種類以上を混合して用いることもできる。
【００２７】
親水性基を持つモノマーとしては、ポリエチレングリコールモノメタクリレート、ポリプロピレングリコールモノメタクリレート、エチレングリコール・プロピレングリコールモノメタクリレートなどがあり、それぞれ単独あるいは２種類以上を混合して用いることもできる。特に、ポリエチレングリコール（２〜３０）モノメタクリレート、ポリエチレングリコール（１〜１５）・プロピレングリコール（１〜１５）モノメタクリレート、ポリプロピレングリコール（２〜３０）メタクリレート、メトキシポリエチレングリコール（２〜３０）メタクリレート、メトキシポリテトラメチレングリコール（２〜３０）メタクリレート、メトキシ（エチレングリコール・プロピレングリコール共重合体）（１〜３０）メタクリレートなどの分岐鎖を構成するモノマー成分を用いることによって、印刷画像の光沢性が向上する。
【００２８】
塩生成基をもつモノマーは、アクリル酸、メタクリル酸、スチレンカルボン酸、マレイン酸などがあり、それぞれ単独あるいは２種類以上を混合して用いることもできる。
【００２９】
さらに、片末端に重合成官能基を有するスチレン系マクロモノマー、シリコーン系マクロモノマーなどのマクロモノマーやその他のモノマーを併用することもできる。
【００３０】
本発明の水不溶性ポリマーは、塊状重合法、溶液重合法、懸濁重合法、乳化重合法など公知の重合法により、モノマーを共重合させることによって得られるが、特に溶液重合法が好ましく、重合の際には、公知のラジカル重合剤や重合連鎖移動剤を添加してもよい。
【００３１】
本発明の水不溶性ポリマーによって被覆されていた顔料は、例えば、上記の水不溶性ポリマーをメタノール、エタノール、イソプロパノール、ｎ−ブタノール、アセトン、メチルエチルケトン、ジブチルエーテルなどの有機溶媒に溶解させ、得られた溶液に着色剤を添加し、次いで中和剤及び水を添加して混練、分散処理を行うことにより水中油滴型の分散体を調整し、得られた分散体から有機溶媒を除去することによって、水分散体として得ることができる。混練、分散処理は、例えば、ボールミル、ロールミル、ビーズミル、高圧ホモジナイザー、高速攪拌型分散機などを用いることができる。
【００３２】
中和剤は、エチルアミン、トリメチルアミン等の３級アミン、水酸化リチウム、水酸化ナトリウム、水酸化カリウム、アンモニア等が好ましく、得られる水分散体のｐＨが６〜１０であることが好ましい。
【００３３】
また、被覆する水不溶性ポリマーとしては、重量平均分子量が１００００〜１５００００程度のものが、着色剤、特に顔料を安定的に分散させる点で好ましい。重量平均分子量はゲルパーミエーションクロマトグラフィー（ＧＰＣ）による分子量分析方法により測定することができる。
【００３４】
本発明の色材に用いられる顔料としては、「染料便覧」（出版元；丸善株式会社）等に記載の既存の顔料を用いることができる。
【００３５】
本発明に用いることができる顔料としては、公知の無機顔料及び有機顔料のいずれも用いることができ、カラーインデックスに記載されているピグメントイエロー、ピグメントレッド、ピグメントバイオレット、ピグメントブルー、ピグメントブラック等の顔料の他、フタロシアニン系、アゾ系、アントラキノン系、アゾメチン系、縮合環系等の顔料が例示できる。また、黄色４号、５号、２０５号、４０１号；橙色２２８号、４０５号；青色１号、４０４号等の有機顔料や、酸化チタン、酸化亜鉛、酸化ジルコニウム、酸化鉄、群青、紺青、酸化クローム等の無機顔料が挙げられる。例えば、Ｃ．Ｉ．ピグメントイエロー１，３，１２，１３，１４，１７，２４，３４，３５，３７，４２，５３，５５，７４，８１，８３，９５，９７，９８，１００，１０１，１０４，１０８，１０９，１１０，１１７，１２０，１２８，１３８，１５０，１５３，１５５，１７４，１８０，１９８、Ｃ．Ｉ．ピグメントレッド１，３，５，８，９，１６，１７，１９，２２，３８，５７：１，９０，１１２，１２２，１２３，１２７、１４６，１８４、２０２、２０９、Ｃ．Ｉ．ピグメントバイオレッド１，３，５：１，１６，１９，２３，３８、Ｃ．Ｉ．ピグメントブルー１，２，１５，１５：１，１５：２，１５：３，１５：４，１６、Ｃ．Ｉ．ピグメントブラック１，７等であり、複数の顔料を用いてインク組成物を形成することもできる。
【００３６】
これらの顔料は、０．５重量％〜１０重量％の範囲で本発明のインク中に含有されることが好ましい。含有量が０．５重量％未満では印字濃度（発色性）が不十分である場合があり、また１０重量％よりも大きいと光沢メディア上での光沢性劣化やノズルの目詰まり、吐出の不安定を起こす等の信頼性に不具合を生じる場合がある。
【００３７】
さらに、顔料と水不溶性ポリマーの比率が、顔料：水不溶性ポリマー＝１：０．２〜１：１の比率にあることが、分散安定性や、インクの保存安定性やノズルの目詰まり防止等の観点、光沢メディア上での光沢性の観点から好ましい。詳しくは、水不溶性ポリマーが顔料に対して、２０％より少ないと安定分散ができず、顔料の凝集が発生し、顔料に対して１００％より多いと発色が低下し、光沢メディア上での光沢も劣化するためである。
【００３８】
また、発色や光沢メディア上での光沢性の観点から、インク中での顔料の体積平均粒子径が５０ｎｍ〜１５０ｎｍの範囲であることが好ましい。これらの平均粒子径は、Ｍｉｃｒｏｔｒａｃ  ＵＰＡ１５０（マイクロトラック社製）や粒度分布測定機ＬＰＡ３１００（大塚電子（株）製）等の粒径測定によって得ることができる。
【００３９】
なお、本発明の水不溶性ポリマーによって被覆されていた顔料は、顔料が水不溶性ポリマーによって完全に被覆されずに、一部の顔料が露出した形状でもよい。
【００４０】
［グリコールエーテル］
本発明のインク組成物は、前記ＨＬＢ値の特定範囲にあるグリコールエーテルを含有することで、記録媒体種の影響をあまり受けずに濡れ性・浸透速度を制御でき、種々の記録媒体に対して、高発色で、滲みの少ない、鮮明な印刷画像を得ることができる。また、後述の、グリコールエーテルと相溶性をもつ１，２−アルカンジオールとの組み合わせにより、主溶媒である水への親和性が向上し、かつ前述した水不溶性ポリマーの分散液に不具合を与えることなく安定的に分散保持することができるため、優れた印字品質と保存安定性と吐出安定性が両立して確保できる。
【００４１】
ここで、本発明において用いるグリコールエーテルの前記ＨＬＢ値は、デービスらが提唱した化合物の親水性を評価する値であり、例えば非特許文献１に定義されているデービス法により求められる数値で、下記の式（１）によって算出される値をいう。
【００４２】
【数１】
0005338102.tif 000002
（但し、［１］は親水基の基数を表し、［２］は疎水基の基数を表す）。
下記の表１に、代表的な親水基、及び疎水基の基数を例示する。
【００４３】
【表１】
0005338102.tif 000003
【００４４】
本発明のインク組成物は、デービス法により算出されたＨＬＢ値が４．２〜８．０であるグリコールエーテルを必須成分として含んでなる。前記ＨＬＢ値は４．２〜８．０の範囲にあることが好ましく、より好ましくは４．２〜７．１の範囲にあることがより好ましい。ＨＬＢ値が４．２未満であるとグリコールエーテルの疎水性が高まり、主溶媒である水との親和性が低下してインク保存性が劣化する場合がある。ＨＬＢ値が８．０より大きくなると、記録媒体への浸透性の効果が減少し、高発色性や滲み低減の効果が発現されない場合がある。前記グリコールエーテルの具体例としては、エチレングリコールモノイソブチルエーテル、エチレングリコールモノヘキシルエーテル、エチレングリコールモノイソヘキシルエーテル、ジエチレングリコールモノヘキシルエーテル、トリエチレングリコールモノヘキシルエーテル、ジエチレングリコールモノイソヘキシルエーテル、トリエチレングリコールモノイソヘキシルエーテル、エチレングリコールモノイソヘプチルエーテル、ジエチレングリコールモノイソヘプチルエーテル、トリエチレングリコールモノイソヘプチルエーテル、エチレングリコールモノオクチルエーテル、エチレングリコールモノイソオクチルエーテル、ジエチレングリコールモノイソオクチルエーテル、トリエチレングリコールモノイソオクチルエーテル、エチレングリコールモノ２−エチルヘキシルエーテル、ジエチレングリコールモノ２−エチルヘキシルエーテル、トリエチレングリコールモノ２−エチルヘキシルエーテル、ジエチレングリコールモノ２−エチルペンチルエーテル、エチレングリコールモノ１−エチルペンチルエーテル、エチレングリコールモノ２−メチルペンチルエーテル、ジエチレングリコールモノ２−メチルペンチルエーテル、プロピレングリコールモノブチルエーテル、ジプロピレングリコールモノブチルエーテル、トリプロピレングリコールモノブチルエーテル、プロピレングリコールモノプロピルエーテル、ジプロピレングリコールモノプロピルエーテル、及びトリプロピレングリコールモノメチルエーテル等が挙げられる。これらは、１種又は２種以上を混合して使用することができる。
【００４５】
さらに、本発明のインク組成物は、前記グリコールエーテルのアルキル基に分岐構造を持つことが好ましい。インク組成物が、アルキル基に分岐構造を持つグリコールエーテルを含有することで、記録媒体によらず、高発色で、滲みの少ない、優れた記録物を得ることができる。具体的には、エチレングリコールモノイソヘキシルエーテル、ジエチレングリコールモノイソヘキシルエーテル、トリエチレングリコールモノイソヘキシルエーテル、エチレングリコールモノイソヘプチルエーテル、ジエチレングリコールモノイソヘプチルエーテル、トリエチレングリコールモノイソヘプチルエーテル、エチレングリコールモノイソオクチルエーテル、ジエチレングリコールモノイソオクチルエーテル、トリエチレングリコールモノイソオクチルエーテル、エチレングリコールモノ２−エチルヘキシルエーテル、ジエチレングリコールモノ２−エチルヘキシルエーテル、トリエチレングリコールモノ２−エチルヘキシルエーテル、ジエチレングリコールモノ２−エチルペンチルエーテル、エチレングリコールモノ１−エチルペンチルエーテル、エチレングリコールモノ２−メチルペンチルエーテル、ジエチレングリコールモノ２−メチルペンチルエーテル等が挙げられる。
【００４６】
さらに発色性を高める点において、前記グリコールエーテルの分岐構造として、アルキル基が２ーエチルヘキシル基であることがより好ましい。具体的には、エチレングリコールモノ２−エチルヘキシルエーテル、ジエチレングリコールモノ２−エチルヘキシルエーテル、トリエチレングリコールモノ２−エチルヘキシルエーテル、ジエチレングリコールモノ２−エチルペンチルエーテル、エチレングリコールモノ１−エチルペンチルエーテル、エチレングリコールモノ２−メチルペンチルエーテル、ジエチレングリコールモノ２−メチルペンチルエーテル等が挙げられ、特に、エチレングリコールモノ２−エチルヘキシルエーテル、ジエチレングリコールモノ２−エチルヘキシルエーテル、トリエチレングリコールモノ２−エチルヘキシルエーテル等が好ましい。
【００４７】
前記グリコールエーテルの含有量は、インク組成物の高発色性、滲み低減効果、インク保存安定性、吐出信頼性の観点から、インク組成物全量に対して０．１重量％〜６重量％の範囲で含まれることが好ましい。０．１重量％未満であると、インク組成物の浸透性、乾燥性が乏しくなってしまい、鮮明な画像が得られにくく、また、印字濃度（発色性）が不十分である場合がある。また６重量％よりも大きくなると、インクの粘度が高くなり安定した吐出が困難となったり、インク組成物中への溶解性が得られず長期間安定した保存性が得られない場合がある。
【００４８】
［１，２−アルカンジオール］
本発明のインク組成物は、前記グリコールエーテルと相溶する水性有機溶剤として、１，２−アルカンジオールを含んでなる。
【００４９】
ここで、「相溶する」とは、インク組成物を構成する各成分の中で、水を主溶媒としたインク組成において、前記グリコールエーテルと１，２−アルカンジオールの混合物が完全に溶解するような、各材料とこれら各材料の比率との組み合わせを意味する。
【００５０】
この１，２−アルカンジオールをインク組成物中に含有することで、インク組成物における、前記グリコールエーテルとの溶解性を高めることができ、インク保存安定性、吐出安定性の向上を実現できる。また、インク組成中へ前記グリコールエーテルの含有量を増量することが容易となるため、さらなる印字品質の向上に寄与することを可能とする。
【００５１】
１，２−アルカンジオールの具体的例としては、１，２−ブタンジオール、１，２−ペンタンジオール、１，２−ヘキサンジオール、１，２−ヘプタンジオール、１，２−オクタンジオール、４−メチル−１，２−ペンタンジオール等の炭素数が４〜８の１，２−アルカンジオールが好ましい。特に、炭素数６〜８の１，２−ヘキサンジオール、１，２−ヘプタンジオール、１，２−オクタンジオールが、水への溶解性と、前記グリコールエーテルとの相溶性の観点で好ましい。１，２−アルカンジオールの添加量は、前記グリコールエーテルとの相溶性の観点から、前記グリコールエーテルに対して、重量比で１／２〜５／１であることが好ましい。また、前記グリコールエーテルとの相溶性、インク保存安定性、吐出安定性の観点から、インク組成物全量に対して、１重量％〜２０重量％の範囲で添加することが好ましい。１重量％未満であると、前記グリコールエーテルとの相溶性効果を生じにくくする場合があり、２０重量％よりも大きくなると、インクの粘度が高くなり安定した吐出が困難となったり、長期間安定したインク保存性が得られない場合がある。
【００５２】
［ノニオン性界面活性剤］
本発明のインク組成物は、さらにノニオン性界面活性剤を含んでなる。
ノニオン性界面活性剤を含有することで、インク組成物の表面張力を所望の値に調整することが容易となり、種々の記録媒体、特に普通紙に対して、インク浸透性を向上させることができる。
【００５３】
ノニオン性界面活性剤の具体例としては、アセチレングリコール系界面活性剤、アセチレンアルコール系界面活性剤、ポリオキシエチレンアルキルエーテル、ポリオキシエチレンフェニルエーテル等が挙げられ、さらにノニオン性界面活性剤の中でも、アセチレングリコール系界面活性剤が、発泡がほとんど無いインク組成物を得ることができ、吐出の安定性と印字品質とを両立できるという点において好ましい。インクジェット記録に用いる場合、特に好ましい。アセチレングリコール系界面活性剤の例としては、サーフィノール４２０、４４０、４６５、４８５、１０４、ＳＴＧ（エアープロダクツ社製品）、オルフィンＰＤ００１、ＰＤ００２Ｗ、ＳＰＣ、Ｅ１００４、Ｅ１０１０（日信化学工業（株）製品）、アセチレノールＥ００、Ｅ４０、Ｅ１００、ＬＨ（川研ファインケミカル（株）製品）等が挙げられる。またポリエーテル変性シロキサン類としては、ＢＹＫ−３４６、３４７、３４８、ＵＶ３５３０（ビックケミー社製品）などが挙げられる。これらは、インク組成物中に１種又は２種以上を用いることができ、表面張力２０ｍＮ／ｍ〜４０ｍＮ／ｍに調整されることが好ましく、インク組成物中には０．１重量％〜３．０重量％含まれる。
【００５４】
［インク組成］
本発明のインク組成物は安全性、取り扱い上の観点から、インクの主溶媒が水である水性インクであることが好ましく、水はイオン交換水、限外濾過水、逆浸透水、蒸留水等の純水または超純水を用いることが好ましい。特に紫外線照射または過酸化水素添加等により滅菌処理した水を用いることが、カビやバクテリアの発生を防止してインクの長期保存を可能にする点で好ましい。
【００５５】
さらに、本発明のインク組成物は、インクジェット記録方法に好適なインク組成物であるため、保湿剤、浸透促進剤、ｐＨ調整剤を含有することが好ましい。
【００５６】
本発明のインク組成物には、インクジェットヘッドのノズル近傍での目詰まりを防止する目的で、保湿効果のある水溶性有機溶剤を含有することが好ましい。具体的には、例えば、グリセリン、１，２，６−ヘキサントリオール、トリメチロールプロパン、エチレングリコール、プロピレングリコール、ジエチレングリコール、トリエチレングリコール、テトラエチレングリコール、ペンタエチレンフリコール、ジプロピレングリコール、２−ブテンー１，４−ジオール、２−エチルー１，３−ヘキサンジオール、２−メチルー２，４−ペンタンジオール等の多価アルコール類、グルコース、マンノース、フルクトース、リボース、キシロース、アラビノース、ガラクトース、アルドン酸、グルシトール（ソルビット）、マルトース、セロビオース、ラクトース、スクロース、トレハロース、マルトトリオース等の糖類、糖アルコール類、ヒアルロン酸類、尿素類等のいわゆる固体湿潤剤、エタノール、メタノール、ブタノール、プロパノール、イソプロパノールなどの炭素数１〜４のアルキルアルコール類、２−ピロリドン、Ｎ−メチル−２−ピロリドン、１，３−ジメチルー２−イミダゾリジノン、ホルムアミド、アセトアミド、ジメチルスルホキシド、ソルビット、ソルビタン、アセチン、ジアセチン、トリアセチン、スルホラン等があげられる。これらの湿潤効果のある水溶性有機溶剤は１種又は２種以上を用いることができ、インクの適正な物性値（粘度等）の確保、印字品質、信頼性の確保という観点で、インク中に１０重量％〜５０重量％含まれることが好ましい。
【００５７】
ｐＨ調整剤としては、水酸化リチウム、水酸化カリウム、水酸化ナトリウム等のアルカリ金属の水酸化物、アンモニア、トリエタノールアミン、トリプロパノールアミン、ジエタノールアミン、モノエタノールアミン等のアミン類等を用いることが出来るが、好ましくは、アルカリ金属の水酸化物、アンモニア、トリエタノールアミン、トリプロパノールアミンから選択される少なくとも１種類のｐＨ調整剤を含み、ｐＨ６〜１０に調整されることが好ましい。ｐＨがこの範囲を外れると、インクジェットプリンタを構成する材料等に悪影響を与えたり、目詰まり回復性が劣化する。
【００５８】
また、必要に応じて、消泡剤、酸化防止剤、紫外線吸収剤、防腐・防カビ剤等を添加することも出来る。
【００５９】
また、本発明のインク組成物は、インクジェット記録装置において吐出安定性を確保する観点から、粘度は２５℃において２５ｃＰｓ以下が好ましい。より好ましくは１５ｃＰｓ以下である。
【００６０】
＜記録方法・記録物＞
本発明のインク組成物はペン等の筆記具類、スタンプ等に好適に使用することができるが、インクジェット記録用インク組成物としてさらに好適に使用できる。本発明においてインクジェット記録方式とは、インク組成物を微細なノズルより液滴として吐出して、その液滴を記録媒体に付着させる方式を意味する。具体的に以下に説明する。
【００６１】
第一の方法としては、静電吸引方式があり、この方式はノズルとノズルの前方に置いた加速電極の間に強電界を印可し、ノズルからインクを液滴状で連続的に噴射させ、インク滴が偏向電極間を飛翔する間に印刷情報信号を偏向電極に与えて記録する方式、あるいはインク滴を偏向することなく印刷情報信号に対応して噴射させる方式である。
【００６２】
第二の方法としては、小型ポンプでインク液に圧力を加え、ノズルを水晶振動子等で機械的に振動させることにより、強制的にインク滴を噴射させる方式である。噴射したインク滴は噴射と同時に帯電させ、インク滴が偏向電極間を飛翔する間に印刷情報信号を偏向電極に与えて記録する。
【００６３】
第三の方法は圧電素子を用いる方式であり、インク液に圧電素子で圧力と印刷情報信号を同時に加え、インク滴を噴射・記録させる方式である。
【００６４】
第四の方式は熱エネルギーの作用によりインク液を急激に体積膨張させる方式であり、インク液を印刷情報信号に従って微小電極で加熱発泡させ、インク滴を噴射・記録させる方式である。
【００６５】
以上のいずれの方式も本発明のインク組成物を用いたインクジェット記録方法に使用することができる。
【００６６】
本発明の記録物は、少なくとも上記インク組成物を用いて記録が行われたものである。この記録物は、本発明のインク組成物を用いることにより十分な印字濃度が得られ、優れた印字品質を示す。
【００６７】
＜実施例＞
以下、実施例を用いて本発明を更に詳細に説明するが、本発明はこれらの実施例に限定されるものではない。
【００６８】
［着色剤分散液の調整］
水不溶性ポリマーによって被覆されている着色剤を分散粒子とする着色剤分散液を下記の方法によって調整した。
【００６９】
（水不溶性ポリマー１〜３の合成）
有機溶媒（メチルエチルケトン）２０重量部、重合連鎖移動剤（２−メルカプトエタノール）０．０３重量部、重合開始剤、表２に示す各モノマーを用い、窒素ガス置換を十分に行った反応容器内に入れて７５℃攪拌下で重合し、モノマー成分１００重量部に対してメチルエチルケトン４０重量部に溶解した２，２’−アゾビス−２，４−ジメチルバレロニトリル０．９重量部を加え、８０℃で１時間熟成させ、ポリマー溶液を得た。
【００７０】
【表２】
0005338102.tif 000004
【００７１】
（分散液Ｙ）
水不溶性ポリマー１として得られたポリマー溶液を減圧乾燥させて得られた５部をメチルエチルケトン１５部に溶かし、水酸化ナトリウム水溶液を用いてポリマーを中和した。さらに、Ｃ．Ｉ．ピグメントイエロー７４を１５部加え、水を加えながら分散機で混練した。得られた混練物にイオン交換水１００部を加え攪拌した後、減圧下、６０℃でメチルエチルケトンを除去し、さらに一部の水を除去することにより、固形分濃度が２０重量％のイエロー顔料の水分散体を得た。このとき、顔料：水不溶性ポリマーの重量比は１：０．５であった。
【００７２】
（分散液Ｍ）
水不溶性ポリマー２として得られたポリマー溶液を減圧乾燥させて得られた９部をメチルエチルケトン４５部に溶かし、水酸化ナトリウム水溶液を用いてポリマーを中和した。さらに、Ｃ．Ｉ．ピグメントレッド１２２を１８部加え、水を加えながら分散機で混練した。得られた混練物にイオン交換水１２０部を加え攪拌した後、減圧下、６０℃でメチルエチルケトンを除去し、さらに一部の水を除去することにより、固形分濃度が２０重量％のマゼンタ顔料の水分散体を得た。このとき、顔料：水不溶性ポリマーの重量比は１：０．２であった。
【００７３】
（分散液Ｃ）
水不溶性ポリマー３として得られたポリマー溶液を減圧乾燥させて得られた６部をメチルエチルケトン２０部に溶かし、水酸化ナトリウム水溶液を用いてポリマーを中和した。さらに、Ｃ．Ｉ．ピグメントブルー１５：３を１０部加え、水を加えながら分散機で混練した。得られた混練物にイオン交換水１００部を加え攪拌した後、減圧下、６０℃でメチルエチルケトンを除去し、さらに一部の水を除去することにより、固形分濃度が２０重量％のシアン顔料の水分散体を得た。このとき、顔料：水不溶性ポリマーの重量比は１：１であった。
【００７４】
［インクの調製］
表３に示す割合で各成分を混合し、室温にて２時間攪拌した後、孔径５μｍのメンブランフィルターにて濾過して、各インクを調製した。ただし、表３中に示す添加量はすべて重量％濃度として表されており、着色剤分散液の（  ）内の数字は着色剤の固形分濃度が表されている。またイオン交換水の「残量」とは、インク全量が１００部となるようにイオン交換水を加えることを意味する。
【００７５】
【表３】
0005338102.tif 000005
【００７６】
表３で調製した各インクを用い、以下の評価を行った。
【００７７】
（試験１）インク保存安定性
各インクを、常温と５０℃でそれぞれ２週間放置後の、インク状態（目視）とインク調製直後の粘度と放置後の値を比較した。判定基準は以下の通りである。
Ｓ：インク状態は凝集・分離なく、また粘度変動幅が±５％未満。
Ａ：インク状態は凝集・分離なく、また粘度変動幅が±５％以上、±１０％未満Ｂ：インク状態は凝集・分離なく、また粘度変動幅が±１０％以上。
Ｃ：インク状態は凝集あるいは分離を生じている。
【００７８】
（試験２）吐出安定性
各インクをインクジェットプリンタであるＰＸ−Ｖ６００（商品名、セイコーエプソン株式会社製）に搭載した。印刷用紙にＡ４版のＸｅｒｏｘ−Ｐ（商品名、富士ゼロックス株式会社製）を用い、常温環境下で文字・塗りつぶしが混在する画像を連続的に印刷して、印刷中の画像に飛行曲がりや抜け等の不具合の有無を目視にて測定した。判定基準は以下の通りである。
Ｓ：２００枚まで連続印刷しても、飛行曲がり・抜けが発生しない。
Ａ：２００枚までの連続印刷で、飛行曲がり・抜けが発生しない。
Ｂ：１００枚までの連続印刷で、飛行曲がり・抜けが発生したが１０箇所未満である。
Ｃ：１００枚までの連続印刷時に、飛行曲がり・抜けが１０箇所以上発生する。
【００７９】
（評価３）普通紙・再生紙上での印刷品質
各インクをインクジェットプリンタであるＰＸ−Ｖ６００に搭載した。３６０ｄｐｉの印刷設定にして、普通紙・再生紙上に４ポイント〜２０ポイントのゴシック文字を１ポイント刻みで印刷した場合の文字の滲みによる印刷品質（文字品質）を評価した。さらに、同様な印刷設定で５％から１００％まで５％刻みで塗りつぶし密度を変えた画像を印刷して、その印刷物の濃淡ムラによる印刷品質（塗りつぶし画像品質）を評価した。この評価では、普通紙としてＸｅｒｏｘ  Ｐｒｅｍｉｕｍ  Ｍｕｌｔｉｐｕｒｐｏｓｅ  ４０２４（商品名、Ｘｅｒｏｘ  Ｃｏ．，社製）、Ｘｅｒｏｘ  Ｐ（商品名、富士ゼロックス社製）、Ｈａｍｍｅｒｍｉｌｌ  Ｃｏｐｙ  Ｐｌｕｓ（商品名、Ｉｎｔｅｒｎａｔｉｏｎａｌ  Ｐａｐｅｒ社製）を、再生紙としてＸｅｏｒｘ  Ｒ（商品名、富士ゼロックス社製）を用い、評価は目視で行った。判断基準は以下の通りである。
【００８０】
［文字品質］
Ｓ：全てのポイントの文字において、滲みが分からない。
Ａ：５ポイント以下の文字で、わずかに滲みが認められる。
Ｂ：滲みのため、５ポイント以下の文字が太く見える。
Ｃ：滲みが著しく、５ポイント以下の文字が判断できない。
【００８１】
［塗りつぶし］
Ｓ：全ての塗りつぶし画像において、ほとんど濃淡ムラが認められない。
Ａ：塗りつぶし密度１００％画像でわずかに濃淡ムラが認められるが、実用上問題ないレベルＢ：塗りつぶし密度５０％以上の画像で濃淡ムラが認められる。
Ｃ：全ての塗りつぶし画像で濃淡ムラが認められる。
【００８２】
（評価４）発色性の評価
各インクをインクジェットプリンタであるＰＸ−Ｖ６００に搭載した。３６０ｄｐｉの印刷設定にして、１００％の塗りつぶし密度の画像を印刷して、ＯＤ値（発色性）を評価した。この評価では、普通紙としてＸｅｒｏｘ  Ｐｒｅｍｉｕｍ  Ｍｕｌｔｉｐｕｒｐｏｓｅ  ４０２４（商品名、Ｘｅｒｏｘ  Ｃｏ．，社製）、Ｘｅｒｏｘ  Ｐ（商品名、富士ゼロックス社製）、Ｈａｍｍｅｒｍｉｌｌ  Ｃｏｐｙ  Ｐｌｕｓ（商品名、Ｉｎｔｅｒｎａｔｉｏｎａｌ  Ｐａｐｅｒ社製）を、再生紙としてＸｅｏｒｘ  Ｒ（商品名、富士ゼロックス社製）を用いた。画像品質の評価については、グレタグ濃度計（グレタグマクベス社製）を用いて測色し、インク組成物毎に上記４紙のＯＤ値の平均値を得た。判断基準は以下の通りである。
Ｓ：ＯＤ値  １．０以上の場合。
Ａ：ＯＤ値  ０．９５以上  １．０未満の場合。
Ｂ：ＯＤ値  ０．９０以上  ０．９５未満の場合。
Ｃ：ＯＤ値  ０．９０未満の場合。
【００８３】
試験１〜４の評価結果を表４にまとめる。
【００８４】
【表４】
0005338102.tif 000006
表４から明らかなように、本発明のインク組成物によれば、優れた発色性と滲みを低減した印字品質を得ることが可能であって、かつ、保存安定性、吐出安定性も良好で信頼性が高く、インクジェット記録方法に用いるのに好適なインク組成物である。
【産業上の利用可能性】
【００８５】
本発明は前述の実施の形態に限定されるものでなく、筆記具用インク、オフセット印刷インク等の用途にも適用できる。